【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
ディスプレイ装置と通信可能な携帯用機器の制御方法において、
前記携帯用機器で実行される第１アプリケーションと、前記ディスプレイ装置で実行されて前記第１アプリケーションと異なる第２アプリケーションとを前記携帯用機器に保存するステップと、
前記携帯用機器で前記第１アプリケーションを実行するステップと、
前記携帯用機器に対するユーザ情報を前記ディスプレイ装置に伝送するステップと、
前記ディスプレイ装置の実行のために、前記携帯用機器から前記ディスプレイ装置に前記第２アプリケーションを伝送するステップと
を含み、
前記第１アプリケーションは、
前記ディスプレイ装置を制御するためのインターフェース機能を行い、
前記ディスプレイ装置は、
受信された前記ユーザ情報を用いて、前記携帯用機器のユーザを認識することを特徴とする携帯用機器の制御方法。
【請求項２】
ユーザから特定情報が入力されるステップと、
前記第２アプリケーションが前記ディスプレイ装置で実行されている状態で、前記入力された情報を前記ディスプレイ装置に伝送するステップと
を更に含むことを特徴とする請求項１に記載の携帯用機器の制御方法。
【請求項３】
前記入力されるステップは、
前記特定情報としてユーザの音声情報を受信し、
前記伝送するステップは、
前記ディスプレイ装置に前記入力された音声情報を伝送することを特徴とする請求項２に記載の携帯用機器の制御方法。
【請求項４】
前記入力されるステップは、
前記特定情報としてユーザのタッチ操作情報を受信し、
前記伝送するステップは、
前記ディスプレイ装置に前記入力されたタッチ操作情報を伝送することを特徴とする請求項２に記載の携帯用機器の制御方法。
【請求項５】
前記入力されるステップは、
前記特定情報としてモーション情報を受信し、
前記伝送するステップは、
前記ディスプレイ装置に前記入力されたモーション情報を伝送することを特徴とする請求項２に記載の携帯用機器の制御方法。
【請求項６】
前記第２アプリケーションは、
前記ディスプレイ装置で実行され、前記携帯用機器で入力される情報に従って実行状態が制御されるアプリケーションを含むことを特徴とする請求項１に記載の携帯用機器の制御方法。
【請求項７】
別の携帯用機器と通信可能に接続するステップと、
前記別の携帯用機器に前記第１アプリケーションを伝送するステップと
を更に含むことを特徴とする請求項１に記載の携帯用機器の制御方法。
【請求項８】
携帯用機器で実行される第１アプリケーションとディスプレイ装置で実行される第２アプリケーションとが保存された携帯用機器と通信可能に接続されたディスプレイ装置の制御方法において、
前記第１アプリケーションが前記携帯用機器で実行されている状態で、前記携帯用機器から前記ディスプレイ装置に前記第１アプリケーションと異なる前記第２アプリケーションを受信するステップと、
前記携帯用機器からユーザ情報を受信するステップと、
前記受信されたユーザ情報を用いて、前記携帯用機器のユーザを認識するステップと、
前記ディスプレイ装置で前記受信された第２アプリケーションを実行するステップと、
前記第１アプリケーションが前記携帯用機器で実行されている状態で、前記携帯用機器から前記ディスプレイ装置に特定情報を受信するステップと、
前記受信された特定情報に従って、前記ディスプレイ装置で前記第２アプリケーションの実行状態を制御するステップと
を含み、
前記第１アプリケーションは、
前記ディスプレイ装置を制御するためのインターフェース機能を行うことを特徴とするディスプレイ装置の制御方法。
【請求項９】
前記携帯用機器は前記特定情報としてユーザの音声情報を受信し、
前記特定情報を受信するステップは、
前記携帯用機器により入力された音声情報を受信し、
前記制御するステップは、
前記受信された音声情報を音声認識を通じて認識し、前記認識された情報に従って前記第２アプリケーションの実行状態を制御することを特徴とする請求項８に記載のディスプレイ装置の制御方法。
【請求項１０】
前記携帯用機器は前記特定情報としてユーザのタッチ操作情報を受信し、
前記特定情報を受信するステップは、
前記携帯用機器により入力されたタッチ操作情報を受信し、
前記制御するステップは、
前記受信されたタッチ操作情報を認識し、前記認識された情報に従って前記第２アプリケーションの実行状態を制御することを特徴とする請求項８に記載のディスプレイ装置
の制御方法。
【請求項１１】
前記携帯用機器は前記特定情報としてモーション情報を受信し、
前記特定情報を受信するステップは、
前記携帯用機器により入力されたモーション情報を受信し、
前記制御するステップは、
前記受信されたモーション情報に従って前記第２アプリケーションの実行状態を制御することを特徴とする請求項８に記載のディスプレイ装置の制御方法。
【請求項１２】
前記第２アプリケーションは、
前記ディスプレイ装置で実行され、前記携帯用機器で入力される情報に従って実行状態が制御されるアプリケーションを含むことを特徴とする請求項８に記載のディスプレイ
装置の制御方法。
【請求項１３】
別の携帯用機器と通信可能に接続するステップと、
前記第１アプリケーションが前記別の携帯用機器で実行されている状態で、前記別の携帯用機器から特定情報を受信するステップと、
前記別の携帯用機器から受信された特定情報に従って前記第２アプリケーションの実行状態を制御するステップと
を更に含むことを特徴とする請求項８に記載のディスプレイ装置の制御方法。
【請求項１４】
前記携帯用機器からユーザ情報を受信するステップと、
前記受信されたユーザ情報を用いて前記携帯用機器のユーザを認識するステップと
を更に含むことを特徴とする請求項８に記載のディスプレイ装置の制御方法。
【請求項１５】
ディスプレイ装置と携帯用機器が通信可能に接続された映像システムの制御方法において、
前記携帯用機器が、前記携帯用機器で実行される第１アプリケーションと、前記ディスプレイ装置で実行されて第１アプリケーションと異なる第２アプリケーションとを保存するステップと、
前記携帯用機器が前記第１アプリケーションを実行するステップと、
前記携帯用機器がユーザ情報を伝送するステップと、
前記ディスプレイ装置が受信された前記ユーザ情報を用いて、前記携帯用機器のユーザを認識するステップと、
前記携帯用機器が前記ディスプレイ装置に前記第２アプリケーションを伝送するステップと、
前記ディスプレイ装置が前記第２アプリケーションを実行するステップと、
前記携帯用機器にユーザから特定情報が入力されるステップと、
前記携帯用機器が前記ディスプレイ装置に前記入力された情報を伝送するステップと、
前記ディスプレイ装置が受信された前記特定情報に従って前記第２アプリケーションの実行状態を制御するステップと
を含み、
前記第１アプリケーションは、
前記ディスプレイ装置を制御するためのインターフェース機能を行う映像システムの制御方法。
【請求項１６】
前記ディスプレイ装置及び前記携帯用機器が別の携帯用機器と通信可能に接続するステップと、
前記携帯用機器が前記別の携帯用機器に第１アプリケーションを伝送するステップと、
前記別の携帯用機器が前記第１アプリケーションを実行するステップと、
前記別の携帯用機器にユーザから特定情報が入力されるステップと、
前記別の携帯用機器が前記入力された特定情報を前記ディスプレイ装置に伝送するステップと、
前記ディスプレイ装置が前記別の携帯用機器から受信された特定情報に従って前記第２アプリケーションの実行状態を制御するステップと
を更に含むことを特徴とする請求項１５に記載の映像システムの制御方法。